(57)【要約】      （修正有）【課題】  局所的に飛散防止薬液を噴霧して、アスベスト粉塵の飛散を良好に防止できるアスベスト粉塵飛散防止用具を提供する。【解決手段】  アスベスト粉塵を封じ込めることのできる飛散防止薬液を入れる容器体２と、容器体２内の飛散防止薬液を噴霧することのできる噴霧部６を備えたアスベスト粉塵飛散防止用具であって、詰め替え用の飛散防止薬液がセットされている。【選択図】  図１
2007062790.tif 000002
【特許請求の範囲】
【請求項１】
アスベスト粉塵を封じ込めることのできる飛散防止薬液を入れる容器体と、該容器体内の前記飛散防止薬液を噴霧することのできる噴霧部とを備えたアスベスト粉塵飛散防止用具。
【請求項２】
詰め替え用の飛散防止薬液がセットされていることを特徴とする請求項１に記載のアスベスト粉塵飛散防止用具。
【請求項３】
手袋，マスクがセットされている請求項１または請求項２に記載のアスベスト粉塵飛散防止用具。
【発明の詳細な説明】
【技術分野】
【０００１】
本発明は、アスベスト粉塵の飛散を防止するための用具に関するものである。
【背景技術】
【０００２】
近年、アスベストの使用が全面的に禁止されるようになったが、アスベストは従来から吸音，断熱性に優れていることから、建物の天井等に吹き付け施工されたり、またアスベストを含有した石綿スレート板，珪酸カルシウム板，サイディング板等のアスベスト成型板が建物の屋根材，天井材，壁材として多く用いられており、例えば建物を解体する際等には、アスベストが粉塵として飛散するため、解体作業等を行う際には、特許文献１に開示されているように、作業者は呼吸用保護具や保護服を着用し、またエアシャワーや防塵ポンプ等を外部との入口に設置する等して、作業の安全管理を徹底するようにしている。
【特許文献１】特開２００４−３０５９０４号公報
【発明の開示】
【発明が解決しようとする課題】
【０００３】
しかし、建物内において壁等の一部を切断等して内側の配管等を補修あるいは交換する作業や、空調設備等を取り付け或いは取り外しする際等にも、アスベストを含有したアスベスト成型板からなる壁材等から粉塵が飛散する場合が多く、従来では、このような作業時にアスベスト粉塵の飛散を防ぐ用具がなく、アスベストの粉塵を吸い込んだり発塵させたりするという危険性があった。
【課題を解決するための手段】
【０００４】
本発明は上記従来の問題点に鑑み案出したものであって、簡単な作業等を行う際にも、アスベスト粉塵の飛散を確実に防いで、安全性が確保できるアスベスト粉塵飛散防止用具を提供するものであり、その請求項１は、アスベスト粉塵を封じ込めることのできる飛散防止薬液を入れる容器体と、該容器体内の前記飛散防止薬液を噴霧することのできる噴霧部とを備えたことである。
【０００５】
また請求項２は、詰め替え用の飛散防止薬液がセットされていることである。
【０００６】
また請求項３は、手袋，マスクがセットされていることである。
【発明の効果】
【０００７】
本発明のアスベスト粉塵飛散防止用具は、アスベスト粉塵を封じ込めることのできる飛散防止薬液を入れる容器体と、該容器体内の前記飛散防止薬液を噴霧することのできる噴霧部とを備えていることにより、一般家庭やマンション等において、配管の取替作業等を行う際に、噴霧部から飛散防止薬液を壁面等に噴霧して、アスベスト成型板で構成されている壁面等を湿潤状態とし、内部のアスベストを粉塵として飛散しないように封じ込めることができ、その後に壁面等を切断や一部破壊するような場合にも、アスベスト粉塵が飛散することなく安全性を確保できるものとなる。
また、室内に飛散防止薬液を噴霧して、浮遊しているアスベスト粉塵をも沈降させて、飛散を防ぐことができるものとなる。
【０００８】
また、詰め替え用の飛散防止薬液がセットされていることにより、容器体内に別途詰め替え用の飛散防止薬液を入れて、状況に応じて飛散防止薬液の使用量を調整できるものとなり、詰め替え用の飛散防止薬液を用意しておけば、広範囲に亘り飛散防止薬液を噴霧して使用することができるものとなる。
【０００９】
また、手袋，マスクがセットされていることにより、手袋，マスクを着用して作業を行うことにより、より安全性が確保されるものとなる。
【実施例】
【００１０】
以下、本発明の実施例を図面に基づいて説明する。
図１は、噴霧用具の一例を示す斜視構成図であり、噴霧用具１は、飛散防止薬液を入れることのできる容器体２の上部に雄ネジ２ａが形成されており、この雄ネジ２ａに着脱可能に雌ネジフランジ３を螺合させて、容器体２の上部に噴霧部６を取り付けることができるように構成されており、噴霧部６内にはピストン７が設けられ、このピストン７をハンドル９を操作して伸縮させることで、ノズル６ａから飛散防止薬液を噴霧することができるもので、雌ネジフランジ３から垂下状に吸い上げ管４が垂設されており、吸い上げ管４の下端にはストレーナ５が設けられている。
また、ノズル６ａには着脱可能にキャップ８が取り付けられ、このキャップ８により、ノズル６ａからの飛散防止薬液の噴霧状態を霧状あるいは水流状に調整できるように構成されている。
【００１１】
容器体２に入れられる飛散防止薬液は、合成樹脂液に安定剤，消泡剤，界面活性剤等が加えられて水で希釈されたものであり、例えばビニル樹脂を主成分とする封じ込め用の飛散防止薬液である。
この飛散防止薬液は、水溶性であり、無害なものであり、手にかかったりしても害はないが、アスベストを含有したアスベスト成型板で構成される壁材等に吹き付けられることで、この壁材を湿潤状態にして内部のアスベストを封じ込めることができ、一度噴霧すれば長期間に亘り封じ込め機能が維持されるものである。
【００１２】
このような噴霧用具１は、容器体２内に飛散防止薬液を入れた状態で販売され、一般の人が容易に入手できるものであり、家庭に１個備え付けておけば、壁材等の傷のある箇所等に飛散防止薬液を噴霧して、傷のある箇所からのアスベスト粉塵の飛散を防ぐことができるものである。
なお、噴霧用具１は、飛散防止薬液を入れることのできる容器体２と、この容器体内に入れられた飛散防止薬液を噴霧することのできる噴霧部を備えたものであれば、どのような形状のものであっても良い。
【００１３】
なお、広範囲で飛散防止薬液を噴霧したいような場合には、図２に示すような詰替容器１０を別途購入して、この詰替容器１０内に入れられている飛散防止薬液を、噴霧用具の容器体２に詰め替えて使用することができるものであり、図２の詰替容器１０では上面がキャップ１１で蓋できるように構成されているが、詰替容器１０は、どのような形状のものであっても良く、樹脂製，ビン製あるいは缶製のものであっても良く、また、この詰替容器１０の容量は、種々のものが用意されており、例えば内部に３００ｃｃの飛散防止薬液を入れる大きさのものや、内部に５００ｃｃの飛散防止薬液を入れておくことのできるものや、その他、業務用として大型の詰替容器も用意されている。
【００１４】
この詰替容器１０は、別売されるが、図１の噴霧用具１と図２の詰替容器がセットで販売される場合もある。
例えば、ビルの管理者やメンテナンス業者等は、噴霧用具１と詰替容器１０をセットで備えておけば、配管の取替え作業等を行う際に、一部の壁材を破壊または切断する前に、この壁材の部分に飛散防止薬液を噴霧用具１から噴霧して、アスベスト粉塵の飛散を確実に防いで作業を行うことができるものとなる。
【００１５】
なお、作業を行う室内に飛散防止薬液を噴霧することもでき、また、足元等にも噴霧しておくことができ、さらに、作業中にも空中に噴霧してアスベスト粉塵の飛散をより確実に防ぐことができるものとなる。
なお、その他、漁船の内装等のメンテナンス作業時等にも、簡単に飛散防止薬液を噴霧して、アスベスト粉塵の飛散を防ぐことができるものとなる。
【００１６】
なお、噴霧用具１あるいは詰替容器１０と共に手袋やマスク、その他、保護具，保護服もセットで販売する場合もあり、より安全性を高めて、アスベストを含有した建材が使用されている現場で作業を行うことができるものとなる。
なお、このような手袋，マスク等は、特にアスベストが吹き付けられている建物内の調査時等に、アスベストの一部を採取してくるような作業時に有効なものとなる。
【００１７】
このように本例では、解体業者ほどの専門業者ではない一般人や設備のメンテナンス業者等が、容易に購入して用意しておくことができ、必要に応じ、アスベストを含有した建材に吹き付けて、アスベスト粉塵の飛散を確実に防ぐことができるものとなる。
【図面の簡単な説明】
【００１８】
【図１】噴霧用具の一例を示す斜視構成図である。
【図２】詰替容器の一例を示す斜視構成図である。
【符号の説明】
【００１９】
１  噴霧用具
２  容器体
６  噴霧部
６ａ  ノズル
８  キャップ
９  ハンドル
１０  詰替容器
【図１】
2007062790.tif 000003
【図２】
2007062790.tif 000004